(57)【特許請求の範囲】
【請求項１】
プール等の開口部上下方向に沿って移動可能な可動床を所望の高さ位置へと昇降させる昇降装置を、プールの対向壁側に開口する収納部に配設されたポストと、上記可動床のブラケットに一端部が連結された索条と、上記ポストに軸支され上記索条が懸架されるプーリ群と、該プーリ群の一を構成する駆動プーリと、この駆動プーリを正逆回転させる減速機構を備えた駆動源と、から構成し、上記プーリ群は、上記収納部のポストよりプール側に配設された上記駆動プーリと、該駆動プーリの上部両側に回転自在に配設された第１及び第２のフリープーリと、上記駆動プーリの下部両側に回転自在に配設された第３及び第４のフリープーリと、から構成し、上記索条は、第１のフリープーリから駆動プーリ、第２のフリープーリ、第４のフリープーリ、第３のフリープーリを経て上記第１のフリープーリに懸架され、かつ、上記ブラケットは、上記第１と第３のプリープーリ間の索条に連結されていることを特徴とする可動床の昇降装置。
【請求項２】
前記第１、第２、第３及び第４のフリープーリを、縦長の長方形の四隅部に相当する位置に夫々回転自在に軸支し、かつ、前記駆動プーリを、上記長方形の対角線の交点或はこの交点を通る垂直線上に配置したことを特徴とする請求項１に記載の可動床の昇降装置。
【請求項３】
前記第２及び第３のフリープーリのいずれか一方の軸を、スライド自在に軸支してテンションプーリとしたことを特徴とする請求項１又は請求項２のいずれかに記載の可動床の昇降装置。
【発明の詳細な説明】
【０００１】
【発明の属する技術分野】
この発明は、プール等の床を、所望の高さ位置に確実にセツトすることができ、特に、この床を昇降させる駆動装置を、プール側から容易に組み立て、或は、メンテナンスすることができる可動床の昇降装置に関する。
【０００２】
【従来の技術】
近年、健康管理意識の高揚に伴ない、幼児から老人に到るまで行うことができるスボーツとして水泳が盛んとなり、スイミンググラブ等多くの施設が発達してきている。
【０００３】
しかし、従来、これらの施設に備えられているプールは、大人が泳げる深さに形成されているものが殆どであり、これを中人用或は幼児用として使用する場合には、その深さを可変調整して浅くする必要があることから、近年では、プールの深さを任意の深さに調節することができる各種の装置が提案されている。
【０００４】
このような従来の可動床の昇降装置には、図４と図５に示すように、プールの対向側壁１に対向して上下方向に配設され、可動床２の昇降を案内する中空のガイドレール３，３と、このガイドレール３，３に回転自在に軸支されたプーリ一群Ｐと、このプーリ群Ｐの駆動プーリ４を正逆回転させる駆動源としての電動モータＭと、その電動モーターＭに連動された減速変速機としてのトルクミッターカップリング５と、一端が可動床２に結着されたチェーン、ロープ、ワイヤ等からなる複数条の索条６とから構成されている。
【０００５】
前記プーリ群Ｐは、上下プーリー７，８と、上記駆動プーリ４と、複数個のガイドプーリ９と、これらのプーリに懸架された索条６に適度の張力を与えるテンションプーリ９Ａと、から構成されている。
【０００６】
【従来技術の課題】
しかしながら、上記したように構成されてなる従来の可動床の昇降装置にあつては、上記プーリ群Ｐがガイドレール３，３の奥行側に配設されている構造であるため、可動床の組み立て作業や索条にテンションを付与し直す等のメンテナンス作業を行う場合に、上記ガイドレール３，３が邪魔となり狭い空間内での作業を余儀なくされるため、作業性が非常に悪い、という課題を有していた。
【０００７】
この発明は、かかる現状に鑑み創案されたものであつて、その目的とするところは、上記可動床の昇降をガイドするプーリ群の配置を、ポストよりも手前側のプール側に配置することで、可動床の組み付け作業やメンテナンス作業を容易に行うことができる可動床の昇降装置を提供しようとするものである。
【０００８】
【課題を解決するための手段】
上記目的を達成するため、この発明にあっては、プール等の開口部上下方向に沿って移動可能な可動床を所望の高さ位置へと昇降させる昇降装置を、プールの対向壁側に開口する収納部に配設されたポストと、上記可動床のブラケットに一端部が連結された索条と、上記ポストに軸支され上記索条が懸架されるプーリ群と、該プーリ群の一を構成する駆動プーリと、この駆動プーリを正逆回転させる減速機構を備えた駆動源と、から構成し、上記プーリ群は、上記収納部のポストよりプール側に配設された上記駆動プーリと、該駆動プーリの上部両側に回転自在に配設された第１及び第２のフリープーリと、上記駆動プーリの下部両側に回転自在に配設された第３及び第４のフリープーリと、から構成し、上記索条は、第１のフリープーリから駆動プーリ、第２のフリープーリ、第４のフリープーリ、第３のフリープーリを経て上記第１のフリープーリに懸架され、かつ、上記ブラケットは、上記第１と第３のプリープーリ間の索条に連結したことを特徴とするものである。
【０００９】
この発明にあっては、上記第１、第２、第３及び第４のフリープーリを、請求項２に記載したように、縦長の長方形の四隅部に相当する位置に夫々回転自在に軸支し、かつ、前記駆動プーリを、上記長方形の対角線の交点或はこの交点を通る垂直線上に配置したことを特徴とするものである。
【００１０】
さらに、この発明にあっては、上記第２及び第３のフリープーリのいずれか一方の軸を、請求項３に記載したように、スライド自在に軸支してテンションプーリとしたことを特徴とするものである。
【００１１】
【発明の実施の形態】
以下、添付図面に示す実施の一形態例に基づき、この発明を詳細に説明する。
【００１２】
図１乃至図３は、この発明の実施の一形態例に係るプールの可動床装置を示しており、プールの開口部上下方向に沿って移動可能で水中における浮力が略零となるように空気が封入された可動床２を上下方向に沿つて昇降させる各昇降装置１０は、プールの対向壁１側に開口する収納部１１に配設され上記可動床２をガイドするポスト１２と、このポスト１２に回転自在に軸支され、かつ、上記可動床２のブラケット１３に一端部が連結された索条であるステンレスローラチェーン１４と、該ステンレスローラチェーン１４が懸架されるプーリ群Ｐと、該プーリ群Ｐの一を構成する駆動プーリ１５と、この駆動プーリ１５を正逆回転させる無段変速機２０を備えた駆動源であるギアードモータ等で構成された電動モータＭと、から構成されている。
【００１３】
可動床２は、特に図示はしないが、多数の角筒材よりなるアルミニウム製、ステンレス製あるいは強化プラスチック等の合成樹脂製の床材と、その床材の下に配置されて床材を固定支持する矩形に組み立てられた支持枠と、から構成されている。
【００１４】
多数の床材は互いに平行に並べられて、例えば、横幅５ｍ×長さ１５ｍプールの場合には、これに対応して多数の床材を矩形に組み立ててボルトナツト等により支持枠の上面に固着される。
【００１５】
角筒状の各床材の中空内部には空気が充填されてその両端に嵌合されたゴムキヤツプの栓体により密封されうるように構成されている。このように構成することで、水中で可動床２に浮力を与えてその重量を軽減することができ、特に、床材の一部にのみ空気を充填して栓体により密封するとともに、残部の床材の栓体を外しておくことで、可動床２の水中重量を適宜調節することができる。この場合、可動床２の全体重力と浮力とが釣り合うようにすればその水中重量が零になり、可動床２を水中で昇降させる際に要する駆動力を最小にすることができる。勿論、上記浮力の調整は、特に図示はしないが、フロートを可動床２の下面に適数着脱自在に取り付けることで調整してもよい。
【００１６】
一方、上記支持枠は、これも特に図示はしないが、複数枚のパネルと、水平方向に相隣接して配設されたパネルを連結する複数個の連結部材と、から構成されている。このパネルの構成素材としては、アルミニユーム材、合成樹脂材あるいはステンレス材等の本来的に軽量な材料、あるいは軽量化された材料を用いる。このように形成されたパネルは、各種の公知の連結部材によって所望面積を有するように連結される。
【００１７】
このように構成される可動床２の大きさは、取り付けられるプール１の開口面積と略同じ平面積に形成される。
【００１８】
また、上記プーリ群Ｐは、上記収納部１１のポスト１２の前方側、即ち、プール側に回転自在に軸支された上記駆動プーリ１５と、該駆動プーリ１５の上部両側に回転自在に配設された第１及び第２のフリープーリ１６，１７と、上記駆動プーリ１５の下部両側に回転自在に配設された第３及び第４のフリープーリ１８，１９と、から構成されており、これら各第１、第２、第３及び第４のフリープーリ１６、１７，１８，１９は、図２に示すように、縦長の長方形の四隅部に相当する位置に夫々回転自在に軸支されており、かつ、上記駆動プーリ１５は、上記長方形の対角線の交点を通る垂直線上に位置するように回転自在に軸支されている。
【００１９】
このような構成からなるプーリ群Ｐに対して、上記ステンレスローラチェーン１４は、第１のフリープーリ１６から駆動プーリ１５、第２のフリープーリ１７、第４のフリープーリ１９、第３のフリープーリ１８を経て上記第１のフリープーリ１６に周回されて懸架され、かつ、上記可動床２の四隅から上記収納部１１方向へ突出されてなる各ブラケット１３は、上記第１と第３のプリープーリ１６，１８間に懸架されているステンレスローラチェーン１４に連結されて構成されている。
【００２０】
また、この形態例では、上記第２のフリープーリ１７をテンションプーリとして構成した場合を例にとり説明したが、このテンションプーリの配設位置は、これに限定されるものではなく、ステンレスローラチェーン１４に適度の張力を付与できる位置であれば、例えば、第４のフリープーリ１９をテンションプーリとして構成してもよい。また、テンションの付与方式も、例えば、図２に示すようなボルト方式２１やシリンダ等でテンションプーリを進退作動させて調整し、或は、ばねの付勢力を利用してテンションを付与するように構成することができる。
【００２１】
それ故、上記電動モータＭを正逆回転させることによつて、無段変速機１３を介して駆動プーリ１５を適当な速度で減速回転させてステンレスローラチェーン１４を可動床上昇方向或は下降方向へと回動させることで、前記可動床２を、ポスト１２に沿つて昇降させて、プール１の水深を変更調節することができる。勿論、上記可動床２が上限位置あるいは下限位置に達すると、同各位置にセツトされたスイツチ（図示せず）が作動して電動モータＭの回転が自動的に停止される。
【００２２】
尚、前記したように、予め床材に充填される空気量を適宜調節して可動床２の重量が水中での浮力と等しくなるように設定すれば、小さな駆動力で可動床２をスムーズに昇降させることができ、この可動床２の昇降のために必要な電動モ一タＭのトルクを最小にすることができるので、経済的な小型の電動モータを用いることができる。尚、図１中、符号２２はカップリングを、２３は一端が無段変速機２０に接続され他端が駆動プーリ１５に連結されたドライブシャフトを、２４は該ドライブシャフト２３の軸受を、２５はシールブロックを、２６は埋め込みスリーブを、２７はベース部材を夫々示している、
【００２３】
この形態例に係る昇降装置は、以上説明したように、上記駆動プーリ１５と、該駆動プーリ１５の上部両側に回転自在に配設された第１及び第２のフリープーリ１６，１７と、上記駆動プーリ１５の下部両側に回転自在に配設された第３及び第４のフリープーリ１８，１９の全てのプーリを、上記収納部１１のポスト１２の前方側、即ち、プール側に回転自在に軸支して構成したので、可動床２の組み立て作業やテンション付加等のメンテナンス作業をポスト１２に邪魔されることなく、広い空間で行なうことができるので、この種の作業性が大幅に向上する。しかも、可動床２のブラケット１３は、収納部１１の一方側上下に配設された第１と第３のフリープーリ１６，１８間のステンレスローラチェーン１４に連結されるので、この連結作業もポスト１２に邪魔されることなく広い空間で行なうことができ、また、テンションの調整作業も、上記ブラケット１３が連結されている側ではなく、ブラケット連結部とは振り分け配置された反対側で行なうことができるので、これも広い空間で作業することができ、作業性が従来の構造のものに比べ、格段に向上する。
【００２４】
尚、上記形態例では、索条をステンレスローラチェーン１４で構成した場合を例にとり説明したが、この発明にあってはこれに限定されるものではなく、例えば、公知の構成からなるチェーン、ロープ、ワイヤで構成してもよい。
【００２５】
また、上記形態例では、本発明をプールの可動床を昇降させる昇降装置に適用した場合について説明したが、本発明はこれに限定されるものではなく、老人ホーム等の風呂場の床面を昇降させる場合にも適用でき、このようにすれば、老人ホーム等の風呂場を脳溢血等で機能障害を起こした老人のリハビリテーション施設としても使用できる。
【００２６】
【発明の効果】
この発明に係る可動床の昇降装置は、以上説明したように、可動床の昇降をガイドするプーリ群の配置を、ポストよりも手前側のプール側に配置して構成したので、可動床の組み付け作業やメンテナンス作業を容易に行うことができる、という優れた効果が得られる。
【図面の簡単な説明】
【図１】この発明の実施の一形態例に係る可動床の昇降装置が適用されたプールの断面図である。
【図２】同昇降装置のプーリの配置状態を示す説明図である。
【図３】同昇降装置の平面図である。
【図４】従来のプール可動床の昇降装置のテンション付与機構を示す説明図である。
【図５】同昇降装置の側面図である。
【符号の説明】
１  プール側壁
２  可動床
１０  昇降装置
１１  収納部
１２  ポスト
１３  可動床のブラケット
１４  ステンレスローラチェーン（索条）
１５  駆動プーリ
１６，１８，１９  フリープーリ
１７  フリープーリ（テンションプーリ）
Ｍ  電動モータ
【図１】
0003849977.tif 000002
【図２】
0003849977.tif 000003
【図３】
0003849977.tif 000004
【図４】
0003849977.tif 000005
【図５】
0003849977.tif 000006